(57)【特許請求の範囲】
【請求項１】
複数の柱と複数の梁とを接合した骨組構造体からなり、複数の梁のうちの少なくとも１本の梁の少なくとも一部に小梁成部を備えてなる建物ユニットにおいて、
前記梁の小梁成部を間柱により支持してなるとともに、
前記梁がウエブと上下のフランジとを有してなり、下フランジは該梁の小梁成部でウエブの高さ方向の中間部に設けられることを特徴とする建物ユニット。
【請求項２】
複数の柱と複数の梁とを接合した骨組構造体からなり、複数の梁のうちの少なくとも１本の梁の少なくとも一部に小梁成部を備えてなる建物ユニットにおいて、
前記梁の小梁成部を間柱により支持してなるとともに、
前記梁がウエブと上下のフランジとを有してなり、下フランジは該梁の小梁成部でウエブに対する付け根から上フランジ寄りに向けて傾斜してなることを特徴とする建物ユニット。
【請求項３】
複数の柱と複数の梁とを接合した骨組構造体からなり、複数の梁のうちの少なくとも１本の梁の少なくとも一部に小梁成部を備えてなる建物ユニットにおいて、
前記梁の小梁成部を間柱により支持してなるとともに、
前記梁が合せ梁からなり、該梁の小梁成部で該合せ梁の下面が傾斜してなることを特徴とする建物ユニット。
【請求項４】
複数の柱と複数の梁とを接合した骨組構造体からなり、複数の梁のうちの少なくとも１本の梁に小梁成部と大梁成部とを備えてなる建物ユニットにおいて、
前記梁の大梁成部を間柱により支持してなるとともに、
前記梁がウエブと上下のフランジとを有してなり、下フランジは該梁の小梁成部でウエブの高さ方向の中間部に設けられることを特徴とする建物ユニット。
【請求項５】
複数の柱と複数の梁とを接合した骨組構造体からなり、複数の梁のうちの少なくとも１本の梁に小梁成部と大梁成部とを備えてなる建物ユニットにおいて、
前記梁の大梁成部を間柱により支持してなるとともに、
前記梁がウエブと上下のフランジとを有してなり、下フランジは該梁の小梁成部でウエブに対する付け根から上フランジ寄りに向けて傾斜してなることを特徴とする建物ユニット。
【請求項６】
複数の柱と複数の梁とを接合した骨組構造体からなり、複数の梁のうちの少なくとも１本の梁に小梁成部と大梁成部とを備えてなる建物ユニットにおいて、
前記梁の大梁成部を間柱により支持してなるとともに、
前記梁が合せ梁からなり、該梁の小梁成部で該合せ梁の下面が傾斜してなることを特徴とする建物ユニット。
【請求項７】
前記梁の小梁成部が該梁の長手方向の中間部にある請求項１〜６のいずれかに記載の建物ユニット。
【請求項８】
前記梁の小梁成部が階段室を区画形成する請求項１〜６のいずれかに記載の建物ユニット。
【請求項９】
複数の建物ユニットからなるユニット建物において、
請求項１〜８のいずれかに記載の建物ユニットを用いてなるユニット建物。
【発明の詳細な説明】
【０００１】
【発明の属する技術分野】
本発明は、建物ユニット及びユニット建物に関する。
【０００２】
【従来の技術】
従来、特開平7-292779号公報に記載の如くの建物ユニットがある。この建物ユニットは、複数の柱と複数の梁とを接合した骨組構造体からなり、複数の梁のうちの少なくとも１本の梁の少なくとも一部に小梁成部を備えてなるものである。この建物ユニットによれば、天井梁の少なくとも一部を小梁成部とすることにより、建物ユニット内の天井高さを部分的に拡大できる。
【０００３】
【発明が解決しようとする課題】
本発明の課題は、建物ユニットを構成する梁の少なくとも一部に小梁成部を設けるに際し、建物ユニットに一定の強度を確保することにある。
【０００４】
【課題を解決するための手段】
請求項１に記載の本発明は、複数の柱と複数の梁とを接合した骨組構造体からなり、複数の梁のうちの少なくとも１本の梁の少なくとも一部に小梁成部を備えてなる建物ユニットにおいて、前記梁の小梁成部を間柱により支持してなるとともに、前記梁がウエブと上下のフランジとを有してなり、下フランジは該梁の小梁成部でウエブの高さ方向の中間部に設けられるようにしたものである。
【０００５】
請求項２に記載の本発明は、複数の柱と複数の梁とを接合した骨組構造体からなり、複数の梁のうちの少なくとも１本の梁の少なくとも一部に小梁成部を備えてなる建物ユニットにおいて、前記梁の小梁成部を間柱により支持してなるとともに、前記梁がウエブと上下のフランジとを有してなり、下フランジは該梁の小梁成部でウエブに対する付け根から上フランジ寄りに向けて傾斜してなるようにしたものである。
【０００６】
請求項３に記載の本発明は、複数の柱と複数の梁とを接合した骨組構造体からなり、複数の梁のうちの少なくとも１本の梁の少なくとも一部に小梁成部を備えてなる建物ユニットにおいて、前記梁の小梁成部を間柱により支持してなるとともに、前記梁が合せ梁からなり、該梁の小梁成部で該合せ梁の下面が傾斜してなるようにしたものである。
【０００７】
請求項４に記載の本発明は、複数の柱と複数の梁とを接合した骨組構造体からなり、複数の梁のうちの少なくとも１本の梁に小梁成部と大梁成部とを備えてなる建物ユニットにおいて、前記梁の大梁成部を間柱により支持してなるとともに、前記梁がウエブと上下のフランジとを有してなり、下フランジは該梁の小梁成部でウエブの高さ方向の中間部に設けられるようにしたものである。
【０００８】
請求項５に記載の本発明は、複数の柱と複数の梁とを接合した骨組構造体からなり、複数の梁のうちの少なくとも１本の梁に小梁成部と大梁成部とを備えてなる建物ユニットにおいて、前記梁の大梁成部を間柱により支持してなるとともに、前記梁がウエブと上下のフランジとを有してなり、下フランジは該梁の小梁成部でウエブに対する付け根から上フランジ寄りに向けて傾斜してなるようにしたものである。
【０００９】
請求項６に記載の本発明は、複数の柱と複数の梁とを接合した骨組構造体からなり、複数の梁のうちの少なくとも１本の梁に小梁成部と大梁成部とを備えてなる建物ユニットにおいて、前記梁の大梁成部を間柱により支持してなるとともに、前記梁が合せ梁からなり、該梁の小梁成部で該合せ梁の下面が傾斜してなるようにしたものである。
【００１０】
請求項７に記載の本発明は、請求項１〜６のいずれかに記載の本発明において更に、前記梁の小梁成部が該梁の長手方向の中間部にあるようにしたものである。
【００１１】
請求項８に記載の本発明は、請求項１〜６のいずれかに記載の本発明において更に、前記梁の小梁成部が階段室を区画形成するようにしたものである。
請求項９に記載の本発明は、複数の建物ユニットからなるユニット建物において、請求項１〜６のいずれかに記載の建物ユニットを用いてなるようにしたものである。
【００１２】
【作用】
請求項１〜３に記載の本発明によれば下記(a)の作用がある。
(a)梁の小梁成部を間柱により支持することにより、小梁成部を設けたことによる建物ユニットの強度低下を補強できる。
【００１３】
請求項４〜６に記載の本発明によれば下記(b)の作用がある。
(b)梁の小梁成部に続く大梁成部を間柱により支持することにより、小梁成部を設けた
ことによる建物ユニットの強度低下を補強できる。
【００１４】
請求項１、４に記載の本発明によれば下記(c)の作用がある。
(c)梁の小梁成部で下フランジをウエブの高さ方向の中間部に設け、ウエブ高さを可及的に大きくして小梁成部の断面性能を確保しながら、下フランジを上フランジ寄りに持ち上げることにより、小梁成部において下フランジが形成する実質的な梁成を小さくできる。
【００１５】
請求項２、５に記載の本発明によれば下記(d)の作用がある。
(d)梁の小梁成部で下フランジをウエブに対する付け根から上フランジ寄りに向けて傾斜せしめ、ウエブ高さを可及的に大きくして小梁成部の断面性能を確保しながら、下フランジを上フランジ寄りに屈曲させることにより、小梁成部において下フランジが形成する実質的な梁成を小さくできる。
【００１６】
請求項３、６に記載の本発明によれば下記(e)の作用がある。
(e)梁の小梁成部で合せ梁の下面を傾斜せしめ、合せ梁の最大高さを可及的に大きくして小梁成部の断面性能を確保しながら、合せ梁の下面を上向きに傾斜させることにより、小梁成部において合せ梁の下面が形成する実質的な梁成を小さくできる。
【００１７】
請求項７に記載の本発明によれば下記(f)の作用がある。
(f)梁の小梁成部が該梁の長手方向の中間部にある場合にも、上記(a)又は(b)により、
小梁成部を設けたことによる建物ユニットの強度低下を補強できる。
【００１８】
請求項８に記載の本発明によれば下記(g)の作用がある。
(g)梁の小梁成部が階段室を区画形成するとき、階段室の有効天井高さを大きくとることができる。
【００１９】
請求項９に記載の本発明によれば下記(e)の作用がある。
(e)ユニット建物において、梁の少なくとも一部に小梁成部を備えてなる建物ユニット
を用いるに際し、上記(a)〜(g)により、当該建物ユニットに一定の強度を確保できる。
【００２０】
【発明の実施の形態】
図１はユニット建物を示す模式図、図２は特殊建物ユニットを示す模式図、図３は階段室の天井高さを示す模式図、図４は特殊建物ユニットのジョイントピースを示す模式図、図５は特殊建物ユニットの小梁成部と大梁成部との接合構造を示す模式図、図６は小梁成部の接合部を示す模式図、図７は間柱の接合構造を示す模式図、図８は相隣る建物ユニットの天井梁接合構造を示す模式図、図９は相隣る建物ユニットの天井梁化粧構造を示す模式図、図１０はユニット建物を示す模式図、図１１は特殊建物ユニットを示す模式図、図１２はユニット建物を示す模式図、図１３は梁を示す模式図、図１４は標準建物ユニットを示す模式図である。
【００２１】
ユニット建物１Ａは、図１に示す如く、複数の建物ユニットを左右上下に据付けて構築されるものであり、それらの建物ユニットの一部である標準建物ユニット１０Ａと特殊建物ユニット１０Ｂとを隣接配置し、両建物ユニット１０Ａ、１０Ｂに渡る階段室５０を形成可能としている（図３）。
【００２２】
標準建物ユニット１０Ａは、図１４に示す如く、各４本の角鋼管製柱１１と形鋼製床梁１２と形鋼製天井梁１３とを箱形に接合した骨組構造体である。
【００２３】
特殊建物ユニット１０Ｂは、標準建物ユニット１０Ａにおける４本の天井梁１３のうちの１本の天井梁１３Ａを、大梁成部１５と小梁成部１６とし、小梁成部１６とこれに相対する床梁１２との間に間柱１７を設け、小梁成部１６とこれに相対する天井梁１３との間に補強梁１８を設けたものである。そして、特殊建物ユニット１０Ｂは、天井梁１３Ａの小梁成部１６により階段室５０の天井部を区画形成するものとした（図３）。
【００２４】
特殊建物ユニット１０Ｂにおいて、小梁成部１６は天井梁１３Ａの長手方向の一端部に設けられ、天井梁１３Ａの他の部分を大梁成部１５としている。そして、天井梁１３Ａの大梁成部１５は、他の天井梁１３と同一の梁成を備え、小梁成部１６は大梁成部１５より梁成を小としている。
【００２５】
天井梁１３Ａの小梁成部１６は、ウエブ１６Ａの上下端のそれぞれに上下のフランジ１６Ｂ、１６Ｃを備える形鋼からなり、一端部を上下のジョイントピース１９、１９により柱１１の側面に、他端部をジョイント金物２０により大梁成部１５の端面に接合されている。
【００２６】
上下のジョイントピース１９、１９は、図４に示す如く、ウエブ１９Ａとフランジ１９ＢからなるＬ型板からなり、それらのウエブ１９Ａ、フランジ１９Ｂを外側に置く対向状態で柱１１の側面に溶接され、小梁成部１６の一端部を抱き込み状態で溶接して支持する。上下のジョイントピース１９、１９は、フランジ１９Ｂ（必要によりウエブ１９Ａも）に図４（Ａ）、（Ｂ）に示す如くの開先１９Ｃを施され、その内側面に裏あて金１９Ｄを備えて溶接垂れを防ぐ。
【００２７】
特殊建物ユニット１０Ｂは、図５（Ａ）、図６に示す如く、大梁成部１５の端面に溶接される端板２０Ａと、端板２０Ａの上端部と中間部のそれぞれに溶接される添え板２０Ｂ、２０Ｃと、添え板２０Ｃの裏面と端板２０Ａの下端部との間に溶接される補強板２０Ｄとから構成され、小梁成部１６の他端部を添え板２０Ｂ、２０Ｃに挟んだ状態で端板２０Ａに突き当て溶接して支持する。
【００２８】
尚、ジョイント金物２０は、図５（Ｂ）に示す如くの鋳物製ジョイント金物２１（一体仕口、役物）にて代えることもできる。図５（Ｂ）の鋳物製ジョイント金物２１は、広幅突部２１Ａと狭幅突部２１Ｂを両端のそれぞれに突設し、広幅突部２１Ａに大梁成部１５のウエブ及び上下のフランジの内面を嵌合して溶接し、狭幅突部２１Ｂに小梁成部１６のウエブ１６Ａ及び上下のフランジ１６Ｂ、１６Ｃの内面を嵌合して溶接できる。
【００２９】
間柱１７は、図２に示す如く、上下の両端部のそれぞれに端板２２を備え、この端板２２を、小梁成部１６の下フランジ１６Ｃの下面（もしくは床梁１２の上フランジの上面）にあて、該小梁成部１６の下フランジ１６Ｃの上面（もしくは床梁１２の上フランジの下面）に添設せしめた補強板２３とともに、ボルト２４Ａ、ナット２４Ｂにより締結することにて設けられる。図７（Ｂ）は、図２に対してボルト２４Ａとナット２４Ｂの位置を置換したもの、図７（Ｃ）は、ボルト２４Ａを補強板２３に設けた雌ねじ部に螺合し、ナット２４Ｂを不用としたものである。
【００３０】
然るに、ユニット建物１Ａにあっては、相隣る標準建物ユニット１０Ａの天井梁１３と特殊建物ユニット１０Ｂの天井梁１３Ａの小梁成部１６とを、図８に示す水平接合アングル２５により接合している。水平接合アングル２５は、水平板２５Ａと垂直板２５Ｂと補強リブ２５Ｃとからなり、水平板２５Ａをボルト２６Ａ、ナット２６Ｂにより特殊建物ユニット１０Ｂの天井梁１３Ａの小梁成部１６の下フランジ１６Ｃに接合し、垂直板２５Ｂをボルト２７Ａ、ナット２７Ｂにより標準建物ユニット１０Ａの天井梁１３のウエブに接合している。このとき、標準建物ユニット１０Ａの天井梁１３のウエブの裏面には補強アングル２８が添設され、ボルト２７Ａ、ナット２７Ｂは水平接合アングル２５の垂直板２５Ｂ、標準建物ユニット１０Ａの天井梁１３を、補強アングル２８、座金板２９とともに締結する。
【００３１】
また、ユニット建物１Ａにあっては、相隣る標準建物ユニット１０Ａの天井梁１３と特殊建物ユニット１０Ｂの天井梁１３Ａの小梁成部１６とを水平接合アングル２５で上述の如くに接合した上で、図９に示す如く、特殊建物ユニット１０Ｂの天井梁１３Ａの上フランジ１６Ｂと標準建物ユニット１０Ａの天井梁１３の下フランジとに固定されるボード受け金物３０をそれらの天井梁１３、１３Ａ回りに被着し、このボード受け金物３０に複数の石膏ボード３１をビス止めすることにより、それらの天井梁１３、１３Ａ回りを覆う。相隣る石膏ボード３１、３１の交差コーナー部にはテープ、アングル材等の補強材３２が被着され、その上に仕上げ化粧材が設けられる。
【００３２】
従って、ユニット建物１Ａによれば以下の作用がある。
(1)天井梁１３Ａの小梁成部１６を間柱１７により支持することにより、小梁成部１６を設けたことによる建物ユニット２０の強度低下を補強できる。
【００３３】
(2)天井梁１３Ａの小梁成部１６が階段室５０を区画形成するとき、階段室５０の有効天井高さ（Ｈ）を大きくとることができる（図３（Ａ））。
【００３４】
(3)ユニット建物１Ａにおいて、天井梁１３Ａの少なくとも一部に小梁成部１６を備えてなる建物ユニット２０を用いるに際し、上記(1)、(2)により、当該建物ユニット２０に一定の強度を確保できる。
【００３５】
尚、本発明の実施においては、２個の特殊建物ユニット１０Ｂ、１０Ｂを隣接接置し、それらの天井梁１３Ａの小梁成部１６を図３（Ｂ）に示す如くに隣接配置するものとすれば、両建物ユニット１０Ｂ、１０Ｂに連続する広い範囲で天井高さを拡大できる。
【００３６】
ユニット建物１Ｂは、図１０に示す如く、複数の建物ユニットを左右上下に据付けて構築されるものであり、それらの建物ユニットの一部である標準建物ユニット１０Ａと特殊建物ユニット１０Ｃとを隣接配置し、両建物ユニット１０Ａ、１０Ｃに渡る階段室５０を形成可能としている。
【００３７】
特殊建物ユニット１０Ｃは、標準建物ユニット１０Ａにおける４本の天井梁１３のうちの１本の天井梁１３Ａを、両端側の各大梁成部４１、４２と中間部の小梁成部４３とし、小梁成部４３とこれに相対する床梁１２との間に間柱４４を設け、小梁成部４３とこれに相対する天井梁１３との間に２本の補強梁４５、４６を設けたものである。そして、特殊建物ユニット１０Ｃは、天井梁１３Ａの小梁成部４３により階段室５０の天井部を区画形成するものとした。
【００３８】
特殊建物ユニット１０Ｃにおいて、小梁成部４３は天井梁１３Ａの長手方向の中間部に設けられ、天井梁１３Ａの他の部分（両端部）を大梁成部４１、４２としている。そして、天井梁１３Ａの大梁成部４１、４２は、他の天井梁１３と同一の梁成を備え、小梁成部４３は大梁成部４１、４２より梁成を小としている。
【００３９】
天井梁１３Ａの小梁成部４３は、ウエブ４６Ａの上下端のそれぞれに上下のフランジ４６Ｂ、４６Ｃを備える形鋼からなり、一端部をジョイント金物２０により大梁成部４１の端面に、他端部をジョイント金物２０により大梁成部４２の端面に接合されている。尚、ジョイント金物２０は、ユニット建物１Ａにおけるジョイント金物２０と同様である。
【００４０】
また、間柱４４も、ユニット建物１Ａにおける間柱１７と同様である。
【００４１】
また、相隣る標準建物ユニット１０Ａの天井梁１３と特殊建物ユニット１０Ｃの天井梁１３Ａの小梁成部４３とは、ユニット建物１Ａにおけると同様の水平接合アングル２５により接合される。また、相隣る標準建物ユニット１０Ａの天井梁１３と特殊建物ユニット１０Ｃの天井梁１３Ａの小梁成部４３とは、ユニット建物１Ａにおけると同様の仕上げ化粧材により被覆可能とされる。
【００４２】
従って、ユニット建物１Ｂによれば、天井梁１３Ａの小梁成部４３が該天井梁１３Ａの長手方向の中間部に設けられるとき、この小梁成部４３を間柱４４により支持することにより、小梁成部４３を設けたことによる建物ユニット１０Ｃの強度低下を補強できる。
【００４３】
ユニット建物１Ｃが、ユニット建物１Ａと異なる点は、天井梁１３Ａを構成する大梁成部１５と小梁成部１６のうち、大梁成部１５を間柱１７により支持したことのみにある。即ち、ユニット建物１Ｃでは、大梁成部１５とこれに相対する床梁１２との間に間柱１７を設けた。
【００４４】
従って、ユニット建物１Ｃによれば、天井梁１３Ａの小梁成部１６に続く大梁成部１５を間柱１７により支持することにより、小梁成部１６を設けたことによる建物ユニット１０Ｂの強度低下を補強できる。
【００４５】
図１３（Ａ）の梁６０は、前述の特殊建物ユニット１０Ｂ、１０Ｃの天井梁１３Ａに代わるものであり、長手方向の少なくとも一部に小梁成部６１を設けたものである。小梁成部６１は、ウエブ６１Ａと上下のフランジ６１Ｂ、６１Ｃを備え、ウエブ６１Ａの背面に下方に張り出る補強板６１Ｄを備えたものである。
【００４６】
梁６０は、小梁成部６１でウエブ６１Ａの背面に補強板６１Ｄを備えることにより小梁成部６１の断面性能を確保しながら、小梁成部６１において下フランジ６１Ｃが形成する実質的な梁成Ｋを小さくできる。
【００４７】
図１３（Ｂ）の梁７０は、前述の特殊建物ユニット１０Ｂ、１０Ｃの天井梁１３Ａに代わるものであり、長手方向の少なくとも一部に小梁成部７１を設けたものである。梁７０は、ウエブ７２Ａと上下のフランジ７２Ｂ、７２Ｃを有してなり、下フランジ７２Ｃは梁７０の小梁成部７１でウエブ７２Ａの高さ方向の中間部に設けられる。
【００４８】
梁７０は、小梁成部７１で下フランジ７２Ｃをウエブ７２Ａの高さ方向の中間部に設け、ウエブ高さＬを可及的に大きくして小梁成部７１の断面性能を確保しながら、下フランジ７２Ｃを上フランジ７２Ｂ寄りに持ち上げることにより、小梁成部７１において下フランジ７２Ｃが形成する実質的な梁成Ｋを小さくできる。
【００４９】
図１３（Ｃ）の梁８０は、前述の特殊建物ユニット１０Ｂ、１０Ｃの天井梁１３Ａに代わるものであり、長手方向の少なくとも一部に小梁成部８１を設けたものである。梁８０は、ウエブ８２Ａと上下のフランジ８２Ｂ、８２Ｃを備え、下フランジ８２Ｃは梁８０の小梁成部８１でウエブ８２Ａに対する付け根から上フランジ８２Ｂ寄りに向けて傾斜せしめられている。
【００５０】
梁８０は、小梁成部８１で下フランジ８２Ｃをウエブ８２Ａに対する付け根から上フランジ８２Ｂ寄りに向けて傾斜せしめ、ウエブ高さＬを可及的に大きくして小梁成部８１の断面性能を確保しながら、下フランジ８２Ｃを上フランジ８２Ｂ寄りに屈曲させることにより、小梁成部８１において下フランジ８２Ｃが形成する実質的な梁成Ｋを小さくできる。
【００５１】
（第７実施形態）（図１３（Ｄ））
図１３（Ｄ）の梁９０は、前述の特殊建物ユニット１０Ｂ、１０Ｃの天井梁１３Ａに代わるものであり、長手方向の少なくとも一部に小梁成部９１を設けたものである。梁９０は、２個の形鋼９２、９３を抱き合わせた合せ梁９４であり、梁９０の小梁成部９１で合せ梁９４の下面９４Ａが傾斜せしめられたものである。
【００５２】
梁９０は、小梁成部９１で合せ梁９４の下面９４Ａを傾斜せしめ、合せ梁９４の最大高さＬを可及的に大きくして小梁成部９１の断面性能を確保しながら、合せ梁９４の下面９４Ａを上向きに傾斜させることにより、小梁成部９１において合せ梁９４の下面９４Ａが形成する実質的な梁成Ｋを小さくできる。
【００５３】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００５４】
【発明の効果】
以上のように本発明によれば、建物ユニットを構成する梁の少なくとも一部に小梁成部を設けるに際し、建物ユニットに一定の強度を確保することができる。
【図面の簡単な説明】
【図１】  図１はユニット建物を示す模式図である。
【図２】  図２は特殊建物ユニットを示す模式図である。
【図３】  図３は階段室の天井高さを示す模式図である。
【図４】  図４は特殊建物ユニットのジョイントピースを示す模式図である。
【図５】  図５は特殊建物ユニットの小梁成部と大梁成部との接合構造を示す模式図である。
【図６】  図６は小梁成部の接合部を示す模式図である。
【図７】  図７は間柱の接合構造を示す模式図である。
【図８】  図８は相隣る建物ユニットの天井梁接合構造を示す模式図である。
【図９】  図９は相隣る建物ユニットの天井梁化粧構造を示す模式図である。
【図１０】  図１０はユニット建物を示す模式図である。
【図１１】  図１１は特殊建物ユニットを示す模式図である。
【図１２】  図１２はユニット建物を示す模式図である。
【図１３】  図１３は梁を示す模式図である。
【図１４】  図１４は標準建物ユニットを示す模式図である。
【符号の説明】
１Ａ、１Ｂ、１Ｃ  ユニット建物
１０Ａ、１０Ｂ、１０Ｃ  建物ユニット
１１  柱
１２  床梁
１３、１３Ａ  天井梁
１５、４１、４２  大梁成部
１６、４３  小梁成部
１７、４４  間柱
５０  階段室
６０、７０、８０、９０  梁
６１、７１、８１、９１  小梁成部
７２Ａ、８２Ａ  ウエブ
７２Ｂ、７２Ｃ、８２Ｂ、８２Ｃ  フランジ
９４  合せ梁
【図１】
0003819544.tif 000002
【図２】
0003819544.tif 000003
【図３】
0003819544.tif 000004
【図４】
0003819544.tif 000005
【図５】
0003819544.tif 000006
【図６】
0003819544.tif 000007
【図７】
0003819544.tif 000008
【図８】
0003819544.tif 000009
【図９】
0003819544.tif 000010
【図１０】
0003819544.tif 000011
【図１１】
0003819544.tif 000012
【図１２】
0003819544.tif 000013
【図１３】
0003819544.tif 000014
【図１４】
0003819544.tif 000015